(57)【要約】【課題】  ソーラーパネル等パネル材の受け架台を屋根面の勾配に可変に対応させ、防水の目的から屋根棟部の棟カバーの中へ取り付ける。【解決手段】  鋼板平板を用いたヒンジ状の金物であって、鋼板平板を折曲により先端部を垂直に突起させその先端を円筒に加工し向かい合わせて構成された鋼板の円筒部Ｌ１，Ｌ２，Ｍを直列に組み合わせボルトＡを挿入し、Ａを中心としたヒンジ状に構成し取り付け部の鋼板平板Ｃ及びＩを屋根勾配に合わせ可変対応させる。  又、棟カバー内部に収めるため、鋼板平板を用いていること及び勾配可変対応が可能であることを特徴とする。【選択図】図１
2012154159.tif 000002
【特許請求の範囲】
【請求項１】
鋼板平板を折曲し中央部円筒突起を有する屋根棟部に設置するパネル等の架台取付装置であって、
鋼板平板を折曲により成形した各円筒を直列に配置しボルトを挿入して左右の鋼板平板を可動状態に構成した取付装置で、左右の鋼板平板を取り付け面の勾配に可変対応させることを特徴とするパネル等の架台取付装置。
【請求項２】
屋根棟部の棟カバー内部に収めるため鋼板平板による変形ヒンジ構造を用い、薄型にしたことを特徴とする請求項１のパネル等の架台取付装置。
【発明の詳細な説明】
【技術分野】
【０００１】  本発明は、建築物の勾配を有する小屋組み等の屋根面構成材である屋根葺き材、野地合板等を介し構造部材にパネル材等面状部材を架台を介し取り付ける際に使用する。
小屋組みを構成する構造部材等とパネル材等面状部材を緊結するパネル受架台の屋根面に取り付ける部品である架台の取付装置に関する。
【背景技術】
【０００２】  建築物の屋根を構成する小屋組みの架構方法には多種の方法がある。
その小屋組みを構成する構造部材も木材、鋼材等とその架構方法により選択されている。【０００３】  特に木造建築物及び勾配屋根の場合、垂木材に木材を使用する都合上、屋根面からの雨水等の水の侵入により構造部材に発生する腐蝕等は、致命的な欠陥を建築物に与えることになる。
また鉄骨建築物等に於いても垂木に木材を使用する場合は同様である。【０００４】  エコロジーの観点から近年ソーラーパネルや温水パネル等を屋根面に設置し、ソーラーパネルによる自家発電や太陽熱による温水利用を行い自宅で電気を生み出したり、温水を化石燃料に頼らず生じさせるケースも増大している。【０００５】  このため、新築家屋や既存家屋等の建築物の屋根にソーラーパネルや温水パネル等を乗せ設置しているが、ソーラーセルを組み込んだ屋根葺材を使用する以外は、屋根面から浮かせた状態で架台を組み屋根葺材に影響を及ぼさない様な取り付け方法により、其れらが取り付けられている。【０００６】  然しながら、この方法は架台の取付部材等を屋根面から釘、ビス、ボルト等の螺子類を以て固定するため、少なからず雨水等の侵入するリスクがあり、この被害が多発していることも事実である。【０００７】  また屋根には意匠性、雨水の侵入を防ぐ目的から屋根面に勾配をつけているが、この勾配も取付装置や部材が勾配に対応していない場合は、屋根葺材と取付部材の隙間からの雨水等の水の侵入リスクを増大させている。
【発明の開示】
【発明が解決しようとする課題】
【０００８】  上述の如く、従来技術に係る架台の取付方法は、釘、ビス、ボルト等を用いて屋根面に受け金物を取り付け、架台を固定しソーラーパネルや温水パネルを取り付ける等の方法によっている。【０００９】  是によると、ソーラーパネル温水パネルの重量により屋根下方に向かい荷重が掛かり、屋根上面の屋根葺材表面からボルト又はコーチスクリュウ等の孔を開けた場合、この孔周囲に係る荷重により屋根材の破損等も生じ雨水等の侵入の原因ともなっている。【００１０】  この孔周囲からの雨水等の侵入を防ぐため、シーリング剤等を用いこれ等の孔の隙間を塞いできたが、孔が大きければ大きいほど完全に塞ぐことが難しく、雨水等の侵入を防ぐことが困難となっている。
この結果、侵入した雨水等の水は小屋組内の断熱材等に浸みこみ断熱効果を低減させたり、小屋組構造部材を腐らせたり錆びさせる等の原因となっている。【００１１】  本発明は斯様な状況を鑑みて成されたものであり、その目的は多種の架構方法や勾配を有する小屋組みに対し可変に対応し、新築建築物、既存建築物の種別を問わず、架台の取り付けによる雨水等の水の侵入リスクを無くすることにある。
【課題を解決するための手段】
【００１２】  上述の目的を達成する本発明の架台の取付装置は屋根棟部に取り付けるものであって、鋼板を折曲し互いの干渉を避けるため干渉部分を欠き込んだ二枚のヒンジ板から成り、屋根勾配に対応するため、向かい合わせたヒンジの折曲部分を数センチ立ち上げ互いのヒンジ側にせり出す様にして多くの勾配に対応していること及び鋼板を折曲した物で有るから、厚みが少なく屋根棟部に取り付ける棟カバーの内部に取り付けられることを特徴とする。【００１３】  一例として、屋根棟部での取り付けヒンジの傾斜角は屋根面の勾配に対し同角度で屋根面に沿うことになる。
取り付けられる架台は屋根面の勾配と平行になり架台の取り付け孔も勾配を勘案すること無くボルト径にクリアランスを見込んだ孔を開ければ良いことになる。
【発明の効果】
【００１４】  以上説明したように本発明によれば、屋根勾配に対応できることと棟カバー内部に取り付けられ、屋根面の屋根葺材に及ぼす影響も少なく雨水侵入のリスクを低減させることができる。
【発明を実施するための最良の形態】
【００１５】  以下、本発明実施の形態を図面に基づき詳細に説明する。【００１６】  図１〜図３は本発明の実施の形態に係り、図１は架台取付装置と架台の取り付け状態を示す部分断面斜視図、図２は棟部の架台取付装置の外観斜視図、図３はその取り付けられた部分の中央部断面図である。【００１７】  図中１は垂木を示し、２は野地板、３は屋根葺材、４は防水シート、５は棟カバー６はパネル取付架台を示す。【００１８】  図１に示すように、架台取付装置は棟中央部で屋根勾配に合わせボルトＡを中心にしてそれぞれのヒンジ部を屋根面に防水パッキンＰ１、Ｐ２、野地板２、防水シート４、屋根葺材３を介し小屋組み垂木１にビスＳ１、Ｓ２、Ｓ３、Ｓ４を以て取り付けられている。【００１９】  架台取付装置の鋼板平板Ｃ及びＩはその先端を直角に立ち上げＱ、Ｇ１及びＧ２を設けその先端を円形に加工しＬ１、Ｌ２、Ｍの各孔を直列し、ボルトＡを通しナットＲを取り付けボルトＡを中心に鋼板平板を向かい合わせ接合し架台取付装置を構成している。【００２０】  架台取付装置の鋼板平板の下面には防水ゴムパッキンＰ１、Ｐ２が付帯され、この防水ゴムパッキンＰ１、Ｐ２にはビスのガイド孔は開けられていないため、取り付けビスを締め込むことにより屋根面に密着すると同時にビス外周にも密着しビス孔からの雨水等の侵入を防止している。【００２１】  又、この防水パッキンＰ１、Ｐ２は屋根面への緩衝材にもなり、取り付け時のビス止めによって生じる圧力に対しても屋根葺材への影響を減じ保護する効果がある。
本発明の棟部の架台取付装置は雨水の侵入を防止するために野地板２上に施工されているルーフィング等防水シート４の上に敷設された屋根葺き材３の上に設置され、その鋼板平板Ｃ及びＩも屋根勾配に合わせられた状態で屋根棟部に防水ゴムパッキンＰ１、Ｐ２を介しビスＳ１〜Ｓ４にて留め付けられ取り付けられている。【００２２】  パネル等の取付架台６の取り付けは、本発明の架台取付装置の鋼板平板Ｃの中間部に折曲によりＣ１、Ｃ２を立ち上げ上端をボルト孔を有する平面Ｔを設け、ボルトＢにより架台６と接合している。
架台の角型の鋼管等部材の上部にはナットＨの締めつけのための孔が開けられ、取り付けボルトＢにナットＨを締めつけ架台６と接合する。【００２３】  切妻屋根では左右屋根面の勾配が異なっても左右の屋根面が合掌組みされており、この合掌の棟部左右に架台取付装置の鋼板平板部分を取り付けることにより架台取付装置の架台取り付け屋根面Ｋでは下方に引っ張られるが、屋根面Ｊでは棟方向に向かう力が作用し、屋根面Ｋ下方へ単一方向に作用する力の分散が図れる。
【実施例】
【００２４】  この架台取付装置は屋根の勾配に可変に対応し、どの様な勾配屋根にも取り付ける事が出来る。
寄せ棟屋根等の場合には取付装置の鋼板平板ＣとＩがその勾配角にもよるがその取り付ける面に対し鋼板平板Ｃ、Ｉの固定角度は直交する各屋根面の下方に向うが、ビス孔Ｎからビスにて固定することにより安定した取り付け状態が得られ、従来取り付けに苦慮していた寄せ棟屋根にも簡易に取り付けることも可能とした。【００２５】  以上、本発明の実施の形態及び実施例を説明したが、本発明の範囲はこれに限定されるものではない。
例えば架台取付装置の材質をステンレス等を用いれば屋根面に露出させて取り付けることも可能であり、修理等維持管理もし易く、陸屋根にも取り付けが可能となる。
【産業上の利用の可能性】
【００２６】  本発明は木造建築物の販売やソーラーパネルを販売、施工する産業分野で利用することができる。
【図面の簡単な説明】
【００２７】
【図１】  本発明の実施の形態に係る棟部架台取付装置と屋根、架台との関係を示す部分断面斜視図である。
【図２】  架台取付装置の外観斜視図である。
【図３】  架台取付装置を屋根面に取り付けた状態を示す中央部断面図である。
【符号の説明】
【００２８】１                      垂木
２                      野地板
３                      屋根葺き材
４                      防水シート
５                      棟カバー
６                      パネル取付架台
７                      架台端部蓋
Ａ                      ヒンジ連結ボルト
Ｂ                      架台取り付けボルト
Ｃ                      ヒンジ鋼板平板
Ｃ１，Ｃ２              鋼板平板立ち上げ部
Ｃ２’                  鋼板平板先端
Ｅ１、Ｅ２              ワッシャー
Ｆ                      ワッシャー
Ｇ１，Ｇ２              ヒンジ立ち上げ部
Ｈ                      架台固定ナット
Ｉ                      ヒンジ鋼板平板
Ｊ，Ｋ                  屋根葺き材上面
Ｌ１，Ｌ２              ヒンジ回転部
Ｍ                      ヒンジ中央回転部
Ｎ                      ビス孔
Ｐ１、Ｐ２              ゴムパッキン
Ｑ                      ヒンジ回転部
Ｒ                      ヒンジ固定ナット
Ｓ１，Ｓ２，Ｓ３，Ｓ４  ビス
【図１】
2012154159.tif 000003
【図２】
2012154159.tif 000004
【図３】
2012154159.tif 000005